(57)【要約】  本発明は、自動二輪車、例えばオートバイ用のタイヤに関する。このタイヤは、補強要素で形成されると共にタイヤの各側でビード（３）に繋留されたカーカスタイプの少なくとも１つの補強構造体（２）を有し、ビードのベースは、リムシートに取り付けられるようになっており、各ビードは、サイドウォール（４）の形態をなして半径方向外方へ延び、サイドウォールは、半径方向外側寄りのところでトレッドに結合し、タイヤは、トレッドの下に設けられたクラウン補強構造体（６）を更に有し、クラウン補強構造体は、円周方向に対して１０°〜９０°の角度をなす補強要素の少なくとも１つの層から成る。本発明によれば、円周方向に対して１０°〜９０°の角度をなす補強要素は、相対伸び率の関数としての引張応力曲線が、小さな伸び率については緩やかな勾配を示し、大きな伸び率については実質的に一定で且つ急峻な勾配を示す金属コードである。
2008540244.tif 000002
【特許請求の範囲】
【請求項１】
自動二輪車、例えばオートバイ用のタイヤであって、補強要素で形成されると共に前記タイヤの各側でビード内に繋留されたカーカスタイプの少なくとも１つの補強構造体を有し、前記ビードのベースが、リムシートに取り付けられるようになっており、各ビードが、サイドウォールの形態をなして半径方向外方へ延び、前記サイドウォールが、半径方向外側寄りのところでトレッドに結合し、前記タイヤが、前記トレッドの下に設けられたクラウン補強構造体を更に有し、前記クラウン補強構造体が、円周方向に対して１０°〜９０°の角度をなす補強要素の少なくとも１つの層から成る、タイヤにおいて、前記円周方向に対して１０°〜９０°の角度をなす前記補強要素は、相対伸び率の関数としての引張応力曲線が、小さな伸び率については緩やかな勾配を示し、大きな伸び率については実質的に一定で且つ急峻な勾配を示す金属コードである、タイヤ。
【請求項２】
前記円周方向に関して１０°〜９０°の角度をなす前記金属コードは、８０％〜１００％の侵入性を有する、請求項１記載のタイヤ。
【請求項３】
前記トレッドの下にクラウン補強構造体を有するタイヤであって、前記クラウン補強構造体は、補強要素の少なくとも２つの層を有し、前記補強要素は、１つの層から次の層まで、互いに２０°〜１６０°の角度をなす、請求項１又は２記載のタイヤ。
【請求項４】
長手方向に対して前記金属コードのなす角度は、横断方向において様々であるのが良く、前記角度は、前記タイヤの赤道面について測定した前記金属コードの角度と比較して、前記補強要素の層の軸方向外側の縁部の方が大きい、請求項１〜３のうちいずれか一に記載のタイヤ。
【請求項５】
前記クラウン補強構造体は、円周方向補強要素の少なくとも１つの層を有する、請求項１〜４のうちいずれか一に記載のタイヤ。
【請求項６】
前記円周方向補強要素の層中の前記補強要素は、６０００Ｎ／ｍｍ2を超える弾性率を有する、請求項５記載のタイヤ。
【請求項７】
前記円周方向補強要素の層中の前記補強要素は、金属及び／又はテキスタイル及び／又はガラスで作られている、請求項５又は６記載のタイヤ。
【請求項８】
前記円周方向補強要素の層は、前記円周方向に対して１０°〜９０°の角度をなす補強要素の層の外側に少なくとも部分的に半径方向に位置決めされている、請求項５〜７のうちいずれか一に記載のタイヤ。
【請求項９】
前記円周方向補強要素の層は、半径方向内側において前記円周方向に対して１０°〜９０°の角度をなす補強要素の層の内側に少なくとも部分的に半径方向に位置決めされている、請求項５〜８のうちいずれか一に記載のタイヤ。
【請求項１０】
補強要素の少なくとも１つの層は、カーカスタイプの補強構造体の内側に少なくとも部分的に半径方向に位置決めされている、請求項１〜９のうちいずれか一に記載のタイヤ。
【請求項１１】
前記カーカスタイプの補強構造体の前記補強要素は、前記円周方向に対して６５°〜９０°の角度をなす、請求項１〜１０のうちいずれか一に記載のタイヤ。
【請求項１２】
前記カーカスタイプの補強構造体は、肩からビードまで延びる２つの層半部の状態に作られている、請求項１〜１１のうちいずれか一に記載のタイヤ。
【発明の詳細な説明】
【技術分野】
【０００１】
本発明は、二輪車、例えばオートバイ（モータサイクル又はモータバイクとも言う）に装備されるようになったタイヤに関する。
【背景技術】
【０００２】
本発明はかかる用途に限定されるものではないが、本発明をかかるモータサイクル又はモータバイクに関して具体的に説明する。
【０００３】
タイヤ、特にモータサイクル用タイヤを補強する本体プライは、現在−そして通常は−従来「カーカスプライ」、「クラウンプライ」等と呼ばれている１枚又は２枚以上のプライのスタックから成る。このような本体プライの命名法は、スレッドで形成された補強材（長手方向のスレッド形成補強材である場合が多い）を備えたプライの形態をしている一連の半完成状態の製品を作り、後で、これらを組み立て又は積み重ねてタイヤブランクを形成するという製造方法に由来している。プライを相当大きなサイズのタイヤの状態に作り、次に、所与の製品の寸法に適合するよう切断する。プライは又、初期段階において、実質的に平らな状態に組み立てられる。次に、このようにして作られたブランクをタイヤの代表的なドーナツ形プロフィールを採用するよう付形（シェーピング）する。次に、半完成状態の、いわゆる「完成途上」の製品をブランクに張り付けていつでも硬化できる状態の製品を得る。
【０００４】
例えば上述したような「従来」型の方法では、特にタイヤブランクの製造段階において、カーカスをタイヤのビードの付近に繋留し又は保持するために繋留要素（一般にビードワイヤ）が用いられる。かくして、この種の方法では、カーカスを構成するプライの全ての一部（又はこれらプライの数枚だけ）をタイヤのビード内に位置決めされたビードワイヤに巻き付ける。かくして、カーカスをビード内に繋留する。
【０００５】
この従来型の方法は、タイヤ製造業界全体にわたり普及しているという事実により、プライ及び組立体を製造する多くの別の方法が存在しているにもかかわらず、当業者は、この方法に基づく語彙を用いており、それ故、一般に受け入れられている用語は、特に、平らなプロフィールからドーナツ形プロフィールへの変更等を表すよう「プライ」、「カーカス」、「ビードワイヤ」、「付形」という用語を含む。
【０００６】
今日、厳密に言えば、上述の定義と一致した「プライ」又は「ビードワイヤ」を備えてはいないタイヤが存在する。例えば、特許文献である欧州特許第５８２，１９６号明細書は、プライの形態の半完成状態の製品を用いないで製造されたタイヤを記載している。例えば、種々の補強構造体の補強要素を隣接のゴム配合物の層に直接張り付け、これらの全ては、連続した層の状態でドーナツ形コアに張り付けられ、このドーナツ形コアの形状により、製造中のタイヤの最終プロフィールに類似したプロフィールを直接得ることができる。かくして、この場合、「半完成状態」の製品、「プライ」、又は「ビードワイヤ」はもはや存在しない。ベース製品、例えばゴム配合物及びスレッド又はフィラメントの形態をした補強要素を直接コアに張り付ける。このコアは、ドーナツ形のものなので、平らなプロフィールからドーナツの形のプロフィールに変更するためにブランクを付形することは、もはや不要である。
【０００７】
さらに、この特許文献に記載されたタイヤでは、ビードワイヤへのカーカスプライの「伝統的な」巻き付けは行われない。この種の繋留法に代えて、円周方向スレッドをサイドウォール補強構造体に隣接して位置決めし、全てを繋留又は結合ゴム配合物中に埋め込む構成が用いられている。
【０００８】
また、中心コアへの迅速且つ効率的で、しかも簡単な配置に特に適合した半完成状態の製品を採用するドーナツ側コアへの組み付け方法が存在する。最後に、或る特定の構成（構造）上の特徴を達成する或る幾つかの完成状態の製品（例えばプライ、ビードワイヤ等）を含むと共に配合物及び／又は補強要素を直接張り付けることにより他の半完成状態の製品を達成するハイブリッドを用いることも可能である。
【０００９】
この特許文献では、製造分野と製品の設計分野の両方における最近の技術的進歩を考慮に入れるため、従来の用語、例えば「プライ」、「ビードワイヤ」等に代えて、中立であり又は用いられる方法の形式とは無関係の用語を用いると、有利である。かくして、「カーカスタイプ補強材」又は「サイドウォール補強材」という用語を用いると、従来方法におけるカーカスプライの補強要素及び半完成状態の製品が用いられない方法を用いて製造されたタイヤの対応の補強要素（一般に、サイドウォールに張り付けられる）を表すことができる。「繋留領域」は、その一部に関し、これが、ドーナツ形コアへの張り付けを含む方法を用いて製造された底部領域の円周方向補強要素、ゴム配合物及び隣接のサイドウォール補強部分により形成された組立体を表すことができるのとちょうど同様に容易に従来方法におけるビードワイヤへのカーカスプライの「伝統的」な巻き付けを表すことができる。
【００１０】
他の全てのタイヤの場合と同様、モータバイク用タイヤの技術動向は、ラジアル設計に向かっており、かかるタイヤの構成（構造）は、場合によっては円周方向に対して６５°〜９０°の角度をなす補強要素の１つ又は２つの層で形成されたカーカスを含み、かかるカーカスは、少なくとも、一般にテキスタイル（布）で作られた補強要素で形成されているクラウン補強材により半径方向に包囲されている。それにもかかわらず、本発明が又関連する幾つかの非ラジアルタイヤが相変わらず存在する。本発明は又、特に、ラジアルタイヤ、即ち、カーカス補強要素がカーカスの少なくとも一部にわたり、例えば、タイヤのクラウンに相当する部分において半径方向であるタイヤに関する。
【００１１】
タイヤがモータバイクのフロントに装着されるようになるかリヤに装着されるようになるかに応じて、多くのクラウン補強構成（構造）が提案された。第１の構造体は、クラウン補強材の場合、円周方向コードだけを用いるものであり、この構造体は、特にリヤタイヤに用いられる。第２の構造体は、乗用車用タイヤに現在用いられている構造体から直接インスピレーションを得たものであり、この第２の構造体は、耐摩耗性を向上させるよう用いられ、かかる構造体は、補強要素の少なくとも２つのクラウン層を用いるものであり、かかる補強要素は、各層内において相互に平行であるが、１つの層から次の層まで交差しており、円周方向に対して鋭角をなしており、かかるタイヤは、モータバイクの前輪に特に適している。上述の２つのクラウン層は、一般に少なくとも１つのゴム被覆補強要素のストリップを螺旋に巻くことによって得られた円周方向要素の少なくとも１つの層と関連している場合がある。
【００１２】
かくして、仏国特許第２，５６１，５８８号明細書は、少なくとも１枚のプライを備えたかかるクラウン補強材を記載しており、このプライの補強要素は、周方向に対して０°〜８°のばらつきがある角度をなし、かかる要素の弾性率は、少なくとも６０００Ｎ／ｍｍ2という高いものであり、カーカスと円周方向要素で構成されたプライとの間には、主として、１つのプライから次のプライまで交差していて、互いに対して６０°〜９０°の角度をなす要素の２枚のプライで形成された衝撃緩衝層が位置決めされ、これら交差プライは、弾性率が少なくとも６０００Ｎ／ｍｍ2のテキスタイル補強要素で形成されている。
【００１３】
欧州特許第４５６，９３３号明細書は、モータバイク用タイヤに優れた高速安定性及び優れた接地性を与えることを目的として、例えば、少なくとも２枚のプライ、即ち、カーカスの半径方向最も近くに位置していて、円周方向に対して４０°〜９０°の角度をなして差し向けられたコードで構成された第１のプライ及びトレッドの半径方向最も近くに位置していて、円周方向に螺旋に巻かれたコードで形成された第２のプライでクラウン補強材をどのように構成するかを教示している。
【００１４】
米国特許第５，３０１，７３０号明細書は、モータバイク用後輪用のタイヤのトラクションを増大させることを目的として、半径方向カーカスからトレッドまで外側に、実質的に円周方向要素の少なくとも１枚のプライ及び１つのプライから次のプライまで交差していて、円周方向に対して３５°〜５５°の場合がある角度をなした要素の２枚のプライで構成されたクラウン補強材を提案しており、円周方向に平行な要素のプライは、場合によっては、芳香族ポリアミドで構成された要素で形成され、交差要素のプライは、脂肪族ポリアミドで形成されている。
【００１５】
作業層の補強要素が互いにゼロではない角度、通常は、２０°〜５５°の角度をなす現行のタイヤでは、必要な剛性に応じて、テキスタイル補強要素、例えば芳香族ポリアミド又は脂肪族ポリアミドを用いることが必要である。
【００１６】
特に製造費の面で金属補強要素よりも魅力は劣るが、テキスタイル補強要素は、モータサイクル用タイヤについては２０°〜５５°の角度をなす補強要素作業クラウン層に利用される。
【００１７】
この技術的選択を説明する要因が幾つかあり、第１に、あらかじめ製作された要素、例えばプライを用いることから成る従来の製造方法が、ゼロではない角度の作業層中の補強要素が金属で作られている場合、モータサイクル用タイヤの曲率と不適合である。これは、金属補強要素から成る前もって製作された要素の剛性により、これら要素を円環形のプロフィール上に布設することは実際問題として不可能であり、少なくとも、これは工業的観点から不可能である。
【００１８】
第２に、この場合も又、モータサイクル用タイヤの曲率が非常に顕著なので、ゼロではない角度で差し向けられた補強要素は、タイヤの圧縮の仕方に鑑みて、接触領域のところで伸縮サイクルを受ける。モータサイクル用タイヤの使用中、これら伸縮サイクルにより、補強要素は、これら要素が金属で作られている場合、接触領域の縁のところで破断し、伸縮サイクルは、金属コードの耐久性にとって非常に有害である。
【００１９】
本発明の文言上の意味の範囲内において、タイヤの長手方向、又は円周方向は、タイヤの周囲に対応した方向であり、タイヤの回転方向によって定められる。
【００２０】
円周方向平面又は円周方向断面は、タイヤの回転軸線に垂直な平面である。赤道面は、トレッドの中心又はクラウンを通る円周方向平面である。
【００２１】
タイヤの横断方向又は軸方向は、タイヤの回転軸線に平行である。
【００２２】
半径方向平面は、タイヤの回転軸線を含む。
【００２３】
本発明の目的は、今日のタイヤの特性と同等の特性を有するが、安価に製造できる特にモータサイクル用のタイヤを製造することにある。
【００２４】
【特許文献１】仏国特許第２，５６１，５８８号明細書
【特許文献２】欧州特許第４５６，９３３号明細書
【特許文献３】米国特許第５，３０１，７３０号明細書
【発明の開示】
【００２５】
この目的は、自動二輪車、例えばオートバイ用のタイヤであって、補強要素で形成されると共にタイヤの各側でビード内に繋留されたカーカスタイプの少なくとも１つの補強構造体を有し、ビードのベースが、リムシートに取り付けられるようになっており、各ビードが、サイドウォールの形態をなして半径方向外方へ延び、サイドウォールが、半径方向外側寄りのところでトレッドに結合し、タイヤが、トレッドの下に設けられたクラウン補強構造体を更に有し、クラウン補強構造体が、円周方向に対して１０°〜９０°の角度をなす補強要素の少なくとも１つの層から成る、タイヤにおいて、円周方向に対して１０°〜９０°の角度をなす補強要素は、相対伸び率の関数としての引張応力曲線が、小さな伸び率については緩やかな勾配を示し、大きな伸び率については実質的に一定で且つ急峻な勾配を示す金属コードであることを特徴とするタイヤを用いて本発明に従って達成される。
【００２６】
例えば上述したような追加のプライ補強コードは、慣例的に、「バイモジュラス（bimodulus）」コードとして知られている。
【００２７】
本発明は、有利には、上述の層の補強要素が円周方向に対して８０°未満の角度、より好ましくは６０°未満の角度をなすタイヤに関する。
【００２８】
研究中、本発明のモータサイクル用タイヤは、当業者の知るタイヤと比較して、走行中に接触領域で生じる伸縮サイクルに耐えることができる立証された。
【００２９】
事実、本発明に従って製造されたタイヤに対して行われた試験の示すところによれば、かかるタイヤは、完全に満足のいく耐久性を有し、特に、接触領域の付近で生じる伸縮サイクルの結果としての脆弱さを通常の領域中に示すことはなかった。
【００３０】
本発明の有利な変形実施形態では、特に、タイヤの子午線に沿う、特に、円周方向に対して１０°〜９０°の角度をなす補強要素の層の縁のところの補強構造体の剛性を最適化するため、長手方向に対して上述の金属コードのなす角度は、かかる角度がタイヤの赤道面について測定した金属コードの角度と比較して補強要素の層の軸方向外側の縁部の方が大きいように横断方向に様々であるのが良い。
【００３１】
本発明の変形実施形態の第１の実施例は、タイヤの赤道面から補強要素の層の縁まで部分部分の角度を一様に変化させることから成る。
【００３２】
この変形実施形態の第２の実施例は、タイヤの赤道面から補強要素の層の縁まで角度を段階的に変化させることから成る。
【００３３】
この変形実施形態の最後の実施例は、角度を所与の値が所与の軸方向位置について得られるような仕方で変化させることにある。
【００３４】
換言すると、長手方向に対して上述の金属コードのなす角度が横断方向に様々であるのが良い本発明の変形実施形態のこれら種々の実施例により、クラウン補強構造体が、タイヤのクラウンの付近、即ち、赤道面に沿って位置する領域に閉じた、即ち小さな角度が存在することにより良好な円周方向剛性を得ることが可能である。これとは対照的に、開いた角度、即ち、９０°に向かう傾向のある角度も又、補強要素の層の縁、より詳細には、タイヤの肩のところで得ることができ、その目的は、タイヤのグリップ、トラクション、快適さ又はそれどころか動作温度を向上させることにあり、確かに、角度のかかる変化により、補強要素の層の剪断剛性を加減することができる。
【００３５】
本発明の更に別の特に有利な実施形態によれば、円周方向に関して１０°〜９０°の角度をなす金属コードは、８０％〜１００％の侵入性を有する。
【００３６】
本発明の侵入性は、コードの自由領域、即ち、材料を何ら含んでいない領域に侵入するゴム配合物の性能であり、これは、硬化後に配合物により占められる自由領域の割合として表され、通気性試験によって定められる。
【００３７】
この通気性試験により、相対的通気性指数を測定することができる。これは、コードがゴム配合物により侵入された程度を間接的に測定する単純な方法である。これは、コードを用いて補強し、したがって、加硫ゴムにより侵入された硬化済みゴムプライから直接的に切除により取り出されたコードについて行われる。
【００３８】
或る定めた長さのコード（例えば長さ２ｃｍ）について以下のように試験を行った。空気を所与の圧力（例えば１バール）でコードの開始部中に導入し、流量計を用いてケーブルから出る空気の量を測定し、測定が行われている間、コード試験片を気密シール内に動かないようにして測定の際にコードの長手方向軸線に沿って一端部から他端部までコードに沿って通る空気の量を考慮するようにした。ゴムによるコードの侵入度が高ければ高いほど、測定した流量はそれだけ一層低かった。
【００３９】
円周方向に対して１０°〜９０°の角度をなし、上述の条件下でゴム配合物により侵入された補強要素から成るタイヤのカーカスの層の中に本発明の金属コードを布設することにより、コードを構成する種々のスレッド相互間の応力の良好な分布が可能になり、したがって、伸縮サイクルに対する一層良好な耐性が得られる。
【００４０】
本発明のかかるタイヤは、有利には、ハードコアを含む技術を用いて製造される。これは、一方において、金属コードが、例えば、欧州特許第２４８，３０１号明細書に記載されている技術を用いて正確に導入でき、モータサイクル用タイヤの円環形プロフィールへのあらかじめ製作された要素の配置と関連した上述の問題が回避されるからである。さらに、ハードコアを用いた製造方法を高圧で実施されるタイヤ硬化と関連させることができ、金属コード中へのゴム配合物の侵入が促進される。
【００４１】
補強要素の少なくとも１つの層の製造に特に適した補強要素は、例えば、１２．１５規格の撚りケーブルタイプの組立体であり、その組成は、４×３×０．１５であり、４本のストランドが、４．６ｍｍのピッチの螺旋の状態に互いに巻かれ、ストランドの各々は、３．１ｍｍのピッチの螺旋の状態に互いに巻かれた３本の金属スレッドで構成され、各ストランドのスレッド及びストランドは、同一のＳ／Ｓ又はＺ／Ｚ撚り方向に巻かれ、１２本のスレッドの直径は、０．１５ｍｍである。
【００４２】
本発明のタイヤの製造に適した撚りケーブルの別の例は、規格２１．１５のケーブルであり、その組成は、３×７×０．１５であり、３本のストランドが、５．３ｍｍのピッチの螺旋の状態に互いに巻かれ、ストランドの各々は、３．２ｍｍのピッチの螺旋の状態に互いに巻かれた７本の金属スレッドで構成され、各ストランドのスレッド及びストランドは、同一のＳ／Ｓ又はＺ／Ｚ撚り方向に巻かれ、２１本のスレッドの直径は、０．１５ｍｍである。
【００４３】
本発明の好ましい実施形態によれば、クラウン補強構造体は、補強要素の少なくとも２つの層を有し、補強要素は、１つの層から次の層まで、互いに２０°〜１６０°の角度、好ましくは４０°〜１００°の角度をなす。
【００４４】
また、有利には、クラウン補強構造体は、円周方向補強要素の少なくとも１つの層を有し、円周方向補強要素の層中の補強要素は、有利には、６０００Ｎ／ｍｍ2を超える弾性率を有する。
【００４５】
円周方向要素の層中の補強要素は、金属及び／又はテキスタイル及び／又はガラスで作られるのが良い。
【００４６】
円周方向補強要素の層の存在は、モータサイクルの後輪に用いられるようになったタイヤを製造する場合に特に好ましい。
【００４７】
本発明の有利な一実施形態では、円周方向補強要素の層は、円周方向に対して１０°〜９０°の角度をなす補強要素の層の外側に少なくとも部分的に半径方向に位置決めされることが想定される。円周方向補強要素の層を円周方向に対して１０°〜９０°の角度をなす補強要素の層の外側に半径方向に作り、トレッドの下に直接位置決めする場合、これは、特に、高速安定性の向上に寄与する場合がある。
【００４８】
かくして、円周方向補強要素の層をその主機能の実施に加えてトレッドの下に順序正しく直接製造することができ、かかる層は又、カーカス及びクラウン補強構造体の他の層を潜在的な機械的衝撃から保護する層としても働く。
【００４９】
変形例として、円周方向補強要素の層を特に経済的理由で、円周方向に対して１０°〜９０°の角度をなす補強要素の層相互間に作っても良い。というのは、必要な材料の量及び布設時間がそれにより減少するからである。
【００５０】
本発明の別の有利な実施形態では、円周方向補強要素の層は、半径方向内側において円周方向に対して１０°〜９０°の角度をなす補強要素の層の内側に少なくとも部分的に半径方向に位置決めされることが想定される。この実施形態では、円周方向補強要素の層が、円周方向に対して１０°〜９０°の角度をなす補強要素の層の内側に半径方向に作られ、それにより、特にタイヤのグリップ及びトラクションを向上させることができる。
【００５１】
本発明の変形実施形態では、円周方向に対して１０°〜９０°の角度をなす円周方向補強要素の少なくとも１つの層、例えば金属コードの層は、カーカスタイプの補強構造体の内側に少なくとも部分的に半径方向に位置決めされる。
【００５２】
本発明の別の変形実施形態では、補強要素の少なくとも１つの層は、カーカスタイプの補強構造体の内側に少なくとも部分的に半径方向に位置決めされることが想定される。この変形実施形態は、この場合も又、円周方向に対して１０°〜９０°の角度をなす補強要素の層について上述した種々の位置決めを採用することができる。
【００５３】
かくして、カーカスは、クラウン補強構造体全体を覆うことができる。
【００５４】
好ましくは、本発明では、カーカスを保護するために少なくとも１つのクラウン補強層をカーカスとトレッドの間に位置決めすることが想定される。
【００５５】
注目されるべきこととして、特にクラウン補強構造体の少なくとも一部分がカーカス構造体の内側に半径方向に作られる場合、本発明のタイヤは、有利には、ハードコア又は剛性型を含むタイプの製造法を用いて製造される。
【００５６】
これ又、有利には、ラジアル構造体の場合、カーカスタイプの補強構造体の補強要素は、円周方向に対して６５°〜９０°の角度をなす。
【００５７】
また、本発明の有利な実施形態では、カーカスタイプの補強構造体は、例えば肩からビードまで延びる２つの層半部の状態に作られることが想定される。クラウン補強要素の性状、量及び配置状態に応じて、本発明では、効果的には、トレッドの下に位置するタイヤのその領域の少なくとも一部のカーカス構造体を不要にすることが想定される。かかるカーカス構造体を欧州特許出願第８４４，１０６号明細書の教示に従って製造することができる。
【発明を実施するための最良の形態】
【００５８】
本発明の他の細部及び有利な特徴は、図１及び図２を参照して行われる本発明の幾つかの例示の実施形態の説明から以下において明らかになろう。
【００５９】
理解を容易にするため、図は、縮尺通りには作成されていない。
【００６０】
図１は、テキスタイル（布）タイプの補強要素を有する層２から成るカーカスを有するタイヤ１を示している。層２は、半径方向に配置された補強要素で構成されている。補強要素の半径方向位置決めは、上述の補強要素の布設角度により定められ、半径方向配置は、タイヤの長手方向に対して６５°〜９０°の角度に布設されたかかる要素に対応している。
【００６１】
カーカス層２は、タイヤ１の各側でビード３内に繋留され、そのベース（基部）は、リムシートに取り付けられるようになっている。各ビード３は、サイドウォール４の形態で半径方向外方に延長され、サイドウォール４は、半径方向外側寄りのところでトレッド５に出会っている。このようにして形成されたタイヤ１の曲率は、０．１５を超え、好ましくは０．３を超える。この曲率は、比Ｈｔ／Ｗｔ、即ち、タイヤのトレッドの高さとトレッドの最大幅の比によって定められる。曲率は、有利には、モータサイクルの前輪に装着されるようになったタイヤについては、０．２５〜０．５であり、後輪に装着されるようになったタイヤについては、有利には、０．２〜０．５であろう。
【００６２】
タイヤ１は、クラウン補強材６を更に有し、このクラウン補強材は、状況に応じて、所与の層内に相互に平行であり、１つの層から次の層まで交差した補強要素を有する少なくとも２つの作業層、場合によっては、円周方向補強要素の層から成るのが良い。本発明によれば、作業層中の補強要素は、金属コードであり、この場合、１２．１５タイプのバイモジュラスコードであり、その組成は、４×３×０．１５（Ｓ／Ｓ  ３．１／４．６）であり、これらは図３に示されている。図示の例の場合、クラウン補強材は、所与の層内で相互に平行であり、１つの層から次の層まで交差したコードを有する２つの作業層７，８から成る。
【００６３】
図２は、円周方向が線ＸＸ′によって表されたタイヤ１の構成（構造）の概略切除図である。円周方向に対して９０°の角度をなすテキスタイル補強要素９の層２から成るカーカスは、コード１０の２つの層７，８、例えば図３に示す層によって半径方向に覆われ、かかるコード１０は、各層７，８内で相互に平行であり、互いに約４０°の角度をなすよう１つの層から次の層まで交差している。
【００６４】
図３は、かかるコード１０の概略断面図である。本発明に従って用いられるコード１０は、規格が１２．１５の撚りコード、即ち、直径が１５／１００ｍｍの１２本の基本スレッドで構成されたコードであり、コード１０は、規格４×３×０．１５を満たし、互いに撚り合わされた４本のストランドを有し、各ストランドは、ストランドの各々によって占められる空間を概略的に表す円１２１，１２２，１２３，１２４の内側に内接した直径が１５／１００ｍｍの３本の巻きスレッド１１から成る。図３は又、１２本のスレッドで形成されたコードにより占められる空間を概略的に表した円１３の内側に内接した４本のストランドの巻線を示している。スレッド１１は、鋼で作られている。
【００６５】
タイヤ１は、有利には、ハードコア技術を用いて製造され、上述のコードは、欧州特許第２４８，３０１号明細書に記載された技術に従って上述したように布設される。ハードコア製造方法により、コードをタイヤ製造の終わりまで定位置に適切に保持することができ、又、硬化段階中の高圧と関連する場合、コード中へのゴム配合物の満足のいく侵入を保証することができる。
【００６６】
このようにして製造されたタイヤについて試験を行った。これら試験は、試験を試験機で行うことから成り、同一サイズの他のタイヤについて同一条件下で行った試験と比較し、これらは、１２０／７０ＺＲ１７タイヤである。
【００６７】
基準タイヤと呼ぶタイヤの第１のカテゴリは、従来通り製造されたタイヤ、即ち、作業プライ中にアラミド補強要素を有するタイヤであった。試験した他のタイヤは、作業プライ中に金属補強要素を用いて製造され、補強要素は、「バイモジュラス」コードではなく、４×２３規格のコードであった。
【００６８】
試験条件は、タイヤ全てについて同一であり、タイヤを２．５バールまで膨張させ、これに標準のフロントタイヤ荷重をかけた。走行サイクル中、タイヤにはスリップサイクルを課した。
【００６９】
基準タイヤに対する結果の示すところによれば、作業プライ中の補強要素は、タイヤがこの種のタイヤの平均摩耗寿命の少なくとも２倍に想到する距離を走行した後であっても、合格レベルであると考えられる状態にあった。
【００７０】
本発明のタイヤに関する結果の示すところによれば、作業プライ中のコードは、同一距離にわたる走行後、基準タイヤの状態と同等であり、したがって合格レベルの状態にあった。
【００７１】
作業プライ中に金属４×２３コードを有するタイヤに関する結果の示すところによれば、作業プライ中のコードは、損傷を受け、タイヤは、これらが先の走行試験の距離の半分に過ぎない距離を走行した場合であっても、役に立たないと考えられた。
【００７２】
したがって、これら試験の証明するところによれば、完全にゴム配合物で含浸したバイモジュラスタイプの金属コードを用いると、タイヤは、耐久性に悪影響を及ぼすことなく走行することができる。
【図面の簡単な説明】
【００７３】
【図１】本発明のタイヤの子午線略図である。
【図２】図１に示されたタイヤのカーカスの切除平面図である。
【図３】バイモジュラスコードの概略断面図である。
【図１】
2008540244.tif 000003
【図２】
2008540244.tif 000004
【図３】
2008540244.tif 000005
【国際調査報告】
2008540244.tif 000006
2008540244.tif 000007
2008540244.tif 000008
2008540244.tif 000009
2008540244.tif 000010
2008540244.tif 000011